(57)【要約】【課題】管理面における安全性を保つことができるアクセス管理システムを提供すること。【解決手段】ドア４（ドアノブ）へのタッチ操作が検知されたことを契機に、車載カメラ５によりドア４の周辺が撮影され、このとき、乗車に際しドアノブへタッチ操作したユーザーの顔が撮影され、画像認識部により顔認証が行われる。そして、撮影画像が登録画像と照合された結果、両画像が照合一致して顔認証が成立すると、ドア制御部によりドア４が解錠されるとともに、ドア解錠時の撮影画像の他、車両２の位置情報、ドア解錠時刻、個人特定結果等を含むドア解錠履歴が生成され、そのドア解錠履歴が送信モジュールから送信される。ドア解錠履歴はクラウドに保存されるとともに、カーオーナーの携帯端末８へ送信される。そして、ドア解錠履歴が携帯端末８で取得されると、表示部８３にドア解錠時の情報が表示される。【選択図】図２
2020100965.tif 000002
【特許請求の範囲】
【請求項１】
車両へのアクセス時の情報を取得するアクセス情報取得手段と、
前記アクセス情報取得手段により取得された情報に基づくアクセス履歴を履歴保持手段に保存するアクセス管理手段とを備える、アクセス管理システム。
【請求項２】
前記履歴保持手段に保存されるアクセス履歴をカーオーナーが所持する携帯端末に送信する履歴送信手段を備える
請求項１に記載のアクセス管理システム。
【請求項３】
前記履歴送信手段からアクセス履歴を送信するタイミングを設定する送信タイミング設定手段を備える
請求項２に記載のアクセス管理システム。
【請求項４】
前記アクセス情報取得手段は、車載カメラであり、
前記アクセス管理手段は、車両へのアクセス時に前記車載カメラにより撮影された画像を含むアクセス履歴を前記履歴保持手段に保存する
請求項１〜３のいずれか一項に記載のアクセス管理システム。
【請求項５】
前記アクセス管理手段は、車両へのアクセスを一時的に許可するワンタイムＩＤが前記アクセス情報取得手段により取得された場合、規定時間内に限り車両の使用を許可する
請求項１〜４のいずれか一項に記載のアクセス管理システム。
【請求項６】
車両への不正アクセスを検知する異常検知手段を備え、
前記アクセス管理手段は、前記異常検知手段により車両への不正アクセスが検知された場合、その不正アクセスが検知された時に前記アクセス情報取得手段により取得された情報に基づく不正アクセス履歴を前記履歴保持手段に保存する
請求項１〜５のいずれか一項に記載のアクセス管理システム。
【請求項７】
遠隔操作信号を受信する受信手段を備え、
前記アクセス管理手段は、ドアが解錠されてから一定時間が経過してもドアが施錠されない場合、前記受信手段により受信された遠隔操作信号に基づいてドアを施錠する遠隔ドア管理制御を行う
請求項１〜６のいずれか一項に記載のアクセス管理システム。
【発明の詳細な説明】
【技術分野】
【０００１】
本発明は、アクセス管理システムに関するものである。
【背景技術】
【０００２】
特許文献１には、カーオーナーが車両キーとして所持する携帯機と車載ＥＣＵ（Electronic Control Unit:電子制御ユニット）との間で、例えば双方向の無線通信によるキー認証が成立した場合に、ドアの解施錠やエンジンの始動が許可される電子キーシステムが開示されている。例えば、携帯機を所持することによりドアを解錠できる機能はスマートエントリー（登録商標）と呼ばれ、この機能によれば、乗車時に機械式のキーをドアシリンダに差し込んで回す必要がないため、ドアエントリーの利便性が向上する。
【先行技術文献】
【特許文献】
【０００３】
【特許文献１】特開２０１０−２０２０４３号公報（［００５７］〜［００５９］）
【発明の概要】
【発明が解決しようとする課題】
【０００４】
ドア解錠をキー無しで行えるようにすれば、カーオーナー以外のキーを持たない複数の乗員若しくは宅配業者等でも解錠できるようになり利便性が増すが、車両の管理が難しくなる。
【０００５】
本発明は、上記課題を解決するためになされたものであって、その目的は、管理面における安全性を保つことができるアクセス管理システムを提供することにある。
【課題を解決するための手段】
【０００６】
上記課題を解決するアクセス管理システムは、車両へのアクセス時の情報を取得するアクセス情報取得手段と、前記アクセス情報取得手段により取得された情報に基づくアクセス履歴を履歴保持手段に保存するアクセス管理手段とを備える。
【発明の効果】
【０００７】
本発明のアクセス管理システムによれば、管理面における安全性を保つことができる。
【図面の簡単な説明】
【０００８】
【図１】ドア開閉管理システムの構成を示すブロック図。
【図２】ドア解施錠／開閉時を示す説明図。
【図３】ワンタイムＩＤ発行時を示す説明図。
【図４】異常発生時を示す説明図。
【発明を実施するための形態】
【０００９】
以下、アクセス管理システムの一実施の形態について説明する。
図１に示すように、アクセス管理システムの一例に相当するドア開閉管理システム１は、車両２に搭載された管理装置３を主体とし、この管理装置３には、管理対象の一例に相当するドア４の他、車載カメラ５や振動センサ６等が電気的に接続されている。車載カメラ５は、車両２へのアクセス時の情報を取得するアクセス情報取得手段の一例に相当する。振動センサ６は、車両２への不正アクセスを検知する異常検知手段の一例を構成する。
【００１０】
管理装置３は、車載カメラ５により撮影された画像を登録画像と照合する画像認証を行う画像認識部３１の他、画像認識部３１による画像認証の結果に基づいて、ドア４の解施錠や開閉を制御するドア制御部３２を備えている。また、管理装置３は、振動センサ６による検知動作を通じて車両２への不正アクセスを検知する異常検知部３３を備えている。異常検知部３３は、振動センサ６と共に異常検知手段の一例を構成する。
【００１１】
さらに、管理装置３は、ドア４の解施錠や開閉の他、不正アクセス等の履歴を、外部装置であるクラウド７を経由して、カーオーナーが所持する携帯端末８に送信する送信モジュール３４と、携帯端末８からの遠隔操作信号を同じくクラウド７を経由して受信する受信モジュール３５とを備えている。ドア４の解施錠や開閉の履歴のような正常なアクセス履歴は、ドア制御部３２による制御のもと、送信モジュール３４から送信される。一方、不正アクセスの履歴は、異常検知部３３による制御のもと、送信モジュール３４から送信される。クラウド７は履歴保持手段の一例に相当し、ドア制御部３２と異常検知部３３は共にアクセス管理手段の一例に相当する。また、送信モジュール３４は履歴送信手段の一例に相当し、受信モジュール３５は受信手段の一例に相当する。
【００１２】
携帯端末８の一例は、車両２のＥＣＵ（例えば、管理装置３）に登録されたカーオーナーのスマートフォン（多機能携帯電話）である。携帯端末８は、自端末の統括的な制御を司る端末制御部８１の他、車両２へのアクセスの履歴を受信する受信モジュール８２と、車両アクセス時の撮影画像を含むアクセス履歴を表示する表示部８３とを備えている。また、携帯端末８は、遠隔でドア４の解施錠や開閉を行う場合に操作される操作部８４と、操作部８４の操作に基づく遠隔操作信号をクラウド７を経由して車両２に送信する送信モジュール８５とを備えている。
【００１３】
また、端末制御部８１は、車両２へのアクセスを一時的に許可するワンタイムＩＤを生成し、そのワンタイムＩＤを送信モジュール８５から車両２の他、一時的にアクセス権限が与えられるサブユーザーの携帯端末９（図３参照）に送信する。
【００１４】
次に、ドア開閉管理システム１の作用について説明する。
（ドア解施錠／開閉時）
図２に示すように、例えば、ドア４（ドアノブ）へのタッチ操作が図示しないタッチセンサにより検知されたことを契機に、車載カメラ５によりドア４の周辺が撮影され、このとき、乗車に際しドアノブへタッチ操作したユーザーの顔が撮影され、画像認識部３１により顔認証が行われる。そして、撮影画像が登録画像と照合された結果、両画像が照合一致して顔認証が成立すると、ドア制御部３２によりドア４が解錠されるとともに、ドア解錠時の撮影画像の他、車両２の位置情報、ドア解錠時刻、個人特定結果等を含むドア解錠履歴が生成され、そのドア解錠履歴が送信モジュール３４から送信される。ドア解錠履歴はクラウド７に保存されるとともに、カーオーナーの携帯端末８へ送信される。そして、ドア解錠履歴が携帯端末８で取得されると、表示部８３にドア解錠時の情報が表示される。尚、ドア解錠に引き続きドア４が開けられた場合も同様、ドア開時の情報が表示部８３に表示される。また、ドア施錠時やドア閉時も同様である。
【００１５】
ところで、ドア解錠やドア開後、一定時間が経過しても、ドア施錠やドア閉されない場合、アラーム情報が送信モジュール３４から携帯端末８へ送信される。この場合、携帯端末８においてリマインド動作が実行され、それを受けてカーオーナーが操作部８４を操作すると、携帯端末８から遠隔操作信号が送信され、遠隔でのドア施錠やドア閉が可能になる。
【００１６】
（ワンタイムＩＤ発行時）
図３に示すように、例えば、車両２を荷物トランクとして利用する場合、カーオーナーの携帯端末８から宅配業者（サブユーザー）の携帯端末９と車両２の双方に対しワンタイムＩＤが送信される。ワンタイムＩＤの一例は２次元コードである。車両２で受信されたワンタイムＩＤは、登録画像として管理装置３（画像認識部３１）に一時的に登録される。そして、宅配業者がワンタイムＩＤを携帯端末９に表示させた上で車載カメラ５に翳すと、画像認識部３１によりワンタイムＩＤの画像認証が行われる。ワンタイムＩＤが管理装置３に登録されてから規定時間内に限りドア４の解錠が許可される。すなわち、規定時間内に宅配業者が登録画像に照合一致するワンタイムＩＤを車載カメラ５に翳すと、ワンタイムＩＤの画像認証が成立してドア４が解錠される。そして、上記と同様、ドア解錠履歴がカーオーナーの携帯端末８へ送信され、表示部８３にドア解錠時の情報が表示される。尚、規定時間内であれば、ドア解錠に引き続きドア開や荷物搬入後のドア閉、さらにはドア施錠までを、ドア解錠時のワンタイムＩＤで兼用することができる。
【００１７】
（異常発生時）
図４に示すように、例えば、ドア解錠が許可されていない状態でドアガラスが割られる等して振動センサ６により振動が検知されると、異常検知部３３により車両２への不正アクセスが検知され、これを契機に車載カメラ５により車両周辺が撮影される。この場合、画像認識部３１による画像認証に際し、所定時間内の撮影画像のうち、顔の写っている画像が選択され、その顔画像の他、車両２の位置情報、異常発生時刻、個人特定結果等を含む不正アクセス履歴が生成され、その不正アクセス履歴がカーオーナーの携帯端末８へ送信される。そして、不正アクセス履歴が携帯端末８で取得されると、表示部８３に異常発生時の情報が表示される。尚、所定時間内に顔の写っていない画像しか撮影できなかった場合は、任意の撮影画像を含む不正アクセス履歴を携帯端末８へ送信してもよい。
【００１８】
以上説明したように、本実施の形態によれば、以下の効果を奏することができる。
（１）車両２へのアクセス履歴を保存することにより、カーオーナーがそれを確認できるようになるため、管理面における安全性を保つことができる。
【００１９】
（２）カーオーナーがどこにいてもアクセス履歴を一括管理でき、安全性を保つことができる。
（３）車両アクセス時の画像を含むアクセス履歴を残すことにより、アクセス時の状況を詳しく知ることができる。
【００２０】
（４）宅配業者等に時間限定で車両２の使用許可を与えることができ、車両利用の幅を広げることができる。
（５）正常なアクセス履歴だけでなく不正アクセスの履歴も管理することができる。
【００２１】
（６）遠隔でドア４を施錠できるため、管理面における安全性を高めることができる。
（７）ドア解錠等をキー無しで行えるため、ドアエントリーの利便性を向上することができる。
【００２２】
尚、上記実施の形態は、以下のように変更して実施することができる。上記実施の形態及び以下の変更例は技術的に矛盾しない範囲で組み合わせて実施することができる。
・カーオーナーによる携帯端末８（操作部８４）の操作に基づき、ドア制御部３２により、送信モジュール３４からアクセス履歴を送信するタイミングを設定できるようにしてもよい。この場合、ドア制御部３２は送信タイミング設定手段の一例に相当する。この構成によれば、カーオーナーが所望する任意のタイミングでアクセス履歴を確認できるようになる。
【００２３】
例えば、ドア解錠、エンジン始動、エンジン停止、ドア施錠のうち、ドア解錠やエンジン始動のタイミングではアクセス履歴を送信し、エンジン停止やドア施錠のタイミングではアクセス履歴を送信しないようにしてもよい。尚、不正アクセス履歴は都度送信することが好ましい。また、ドア解錠後、一定時間が経過しても、ドア施錠されない場合には、アラーム情報を送信することが好ましい。同様に、ドア施錠されたにもかかわらずエンジン停止されていない場合にも、携帯端末８へアラーム情報を送信し、遠隔でのエンジン停止を可能としてもよい。
【００２４】
・車載カメラ５として、車室外カメラと車室内カメラの双方が車両２に搭載されていてもよい。そして、ドアノブへのタッチ操作の検知を契機に車室外カメラを起動し、ドア開の検知を契機に車室内カメラを起動してもよい。尚、振動検知を契機に車室外カメラと車室内カメラの双方を起動してもよい。
【００２５】
また、車室外カメラは常時動作（省電力の観点で例えば間欠駆動）で一定時間録画してもよい。
更に、タッチ操作の検知を契機にタッチ操作前後の動画を送信してもよい。
【符号の説明】
【００２６】
１…ドア開閉管理システム（アクセス管理システム）、２…車両、４…ドア、５…車載カメラ（アクセス情報取得手段）、６…振動センサ（異常検知手段）、７…クラウド（履歴保持手段）、８…携帯端末、３２…ドア制御部（アクセス管理手段、送信タイミング設定手段）、３３…異常検知部（アクセス管理手段、異常検知手段）、３４…送信モジュール（履歴送信手段）、３５…受信モジュール（受信手段）。
【図１】
2020100965.tif 000003
【図２】
2020100965.tif 000004
【図３】
2020100965.tif 000005
【図４】
2020100965.tif 000006